(57)【要約】【課題】混色を抑制可能な画像表示装置、画像表示制御装置、及び画像表示プログラムを提供することを目的とする。【解決手段】２種類の異なる閾値電圧の第１泳動粒子１１及び第２泳動粒子１２を一対の基板間に封入し、制御部が電圧印加部を制御して一対の基板間へ電圧を印加する。このとき、制御部が電圧印加部を制御することにより、隣接する画素の閾値電圧の小さい方の第１泳動粒子１１が一方の基板に移動終了後に、閾値電圧が大きい方の第２泳動粒子１２の階調に応じた印加時間の電圧を印加する。【選択図】図３
2015166781.tif 000002
【特許請求の範囲】
【請求項１】
一対の基板と、
前記一対の基板の間に封入され各々電圧印加により基板から剥離し、各々剥離を始める閾値電圧が異なる複数種類の粒子を含む複数の画素と、
隣接する前記画素の前記閾値電圧が小さい方の前記粒子が一方の基板に移動終了後に、前記閾値電圧が大きい方の前記粒子の階調に応じた印加時間の電圧を印加する印加部と、
を備えた画像表示装置。
【請求項２】
前記印加部は、前記閾値電圧が小さい方の前記粒子が基板から剥離し、前記閾値電圧が大きい方の前記粒子が基板から剥離しない大きさの電圧を前もって更に印加する請求項１に記載の画像表示装置。
【請求項３】
前記印加部は、前記印加部により各々の前記粒子が移動する電圧を印加したときに、前記閾値電圧が大きい方の前記粒子が基板から剥離開始するまでに、前記閾値電圧が小さい方の前記粒子の移動が終了する大きさ又は時間の電圧をリセット時に更に印加する請求項１又は請求項２に記載の画像表示装置。
【請求項４】
前記印加部は、前記粒子を基板から剥離させる大きさで、かつ階調に応じた印加時間の電圧を印加する第１ステップと、前記第１ステップで印加する電圧より小さく、基板から剥離した前記粒子を基板へ付着させる大きさの電圧を印加する第２ステップと、を有する駆動パルスを印加する請求項１〜３の何れか１項に記載の画像表示装置。
【請求項５】
前記印加部は、各画素の前記第２ステップの電圧の印加タイミングを揃えた前記駆動パルスを印加する請求項４に記載の画像表示装置。
【請求項６】
前記２種類の粒子は、大きい方の前記閾値電圧を前記一対の基板の間に印加したときに、前記閾値電圧が小さい方の前記粒子が基板から剥離して移動終了するまでの時間より、前記閾値電圧が大きい方の前記粒子が基板から剥離するまでの時間の方が長い特性を有する粒子である請求項１〜５の何れか１項に記載の画像表示装置。
【請求項７】
一対の基板の間に封入され、前記一対の基板間に各々印加される電圧により基板から剥離し、各々剥離を始める閾値電圧が異なる複数種類の粒子を含む複数の画素のうち、隣接する前記画素の前記閾値電圧の小さい方の前記粒子が一方の基板に移動終了後に、前記閾値電圧が大きい方の前記粒子の階調に応じた印加時間の電圧を印加するように電圧を制御する制御部
を備えた画像表示制御装置。
【請求項８】
コンピュータを、請求項１〜６の何れか１項に記載の画像表示装置の前記印加部として機能させるための画像表示プログラム。
【発明の詳細な説明】
【技術分野】
【０００１】
本発明は、画像表示装置、画像表示制御装置、及び画像表示プログラムに関する。
【背景技術】
【０００２】
画像に応じた電圧を一対の基板間に印加することにより基板間に封入された異なる色に着色された複数種類の粒子を移動させて、粒子の色をコントラストとして画像表示させる画像表示装置が知られている。
【０００３】
例えば、特許文献１に記載の技術では、一対の基板間に封入された分散媒と、分散媒中に分散され且つ基板間に形成された電界に応じて基板間を移動するように基板間に封入された色及び帯電極性が異なる第１泳動粒子、第２泳動粒子と、を有する表示媒体を駆動装置が駆動する。そして、駆動装置が、第１泳動粒子の色を階調表示する場合に、第１泳動粒子の少なくとも一部の粒子を表示基板又は背面基板から剥離させるのに必要な閾値電圧以上の電圧であって、第１泳動粒子の色の階調に応じた第１の電圧を基板間に印加した後、第１の電圧と同極性で且つ閾値電圧より小さい第２の電圧を印加する電圧印加部を備えることが提案されている。
【先行技術文献】
【特許文献】
【０００４】
【特許文献１】特開２０１２−１３３３１０号公報
【発明の概要】
【発明が解決しようとする課題】
【０００５】
本発明は、混色を抑制可能な画像表示装置、画像表示制御装置、及び画像表示プログラムを提供することを目的とする。
【課題を解決するための手段】
【０００６】
請求項１に記載の画像表示媒体の画像表示装置は、一対の基板と、前記一対の基板の間に封入され各々電圧印加により基板から剥離し、各々剥離を始める閾値電圧が異なる複数種類の粒子を含む複数の画素と、隣接する前記画素の前記閾値電圧が小さい方の前記粒子が一方の基板に移動終了後に、前記閾値電圧が大きい方の前記粒子の階調に応じた印加時間の電圧を印加する印加部と、を備えている。
【０００７】
請求項２に記載の発明は、請求項１に記載の発明において、前記印加部は、前記閾値電圧が小さい方の前記粒子が基板から剥離し、前記閾値電圧が大きい方の前記粒子が基板から剥離しない大きさの電圧を前もって更に印加する。
【０００８】
請求項３に記載の発明は、請求項１又は請求項２に記載の発明において、前記印加部は、前記印加部により各々の前記粒子が移動する電圧を印加したときに、前記閾値電圧が大きい方の前記粒子が基板から剥離開始するまでに、前記閾値電圧が小さい方の前記粒子の移動が終了する大きさ又は時間の電圧をリセット時に更に印加する。
【０００９】
請求項４に記載の発明は、請求項１〜３の何れか１項に記載の発明において、前記印加部は、前記粒子を基板から剥離させる大きさで、かつ階調に応じた印加時間の電圧を印加する第１ステップと、前記第１ステップで印加する電圧より小さく、基板から剥離した前記粒子を基板へ付着させる大きさの電圧を印加する第２ステップと、を有する駆動パルス
を印加する。
【００１０】
請求項５に記載の発明は、請求項４に記載の発明において、前記印加部は、各画素の前記第２ステップの電圧の印加タイミングを揃えた前記駆動パルスを印加する。
【００１１】
請求項６に記載の発明は、請求項１〜５の何れか１項に記載の発明において、前記２種類の粒子は、大きい方の前記閾値電圧を前記一対の基板の間に印加したときに、前記閾値電圧が小さい方の前記粒子が基板から剥離して移動終了するまでの時間より、前記閾値電圧が大きい方の前記粒子が基板から剥離するまでの時間の方が長い特性を有する粒子である。
【００１２】
請求項７に記載の画像表示制御装置は、一対の基板の間に封入され、前記一対の基板間に各々印加される電圧により基板から剥離し、各々剥離を始める閾値電圧が異なる複数種類の粒子を含む複数の画素のうち、隣接する前記画素の前記閾値電圧の小さい方の前記粒子が一方の基板に移動終了後に、前記閾値電圧が大きい方の前記粒子の階調に応じた印加時間の電圧を印加するように電圧を制御する制御部を備えている。
【００１３】
請求項８に記載の画像表示プログラムは、コンピュータを、請求項１〜６の何れか１項に記載の画像表示装置の前記印加部として機能させる。
【発明の効果】
【００１４】
請求項１に記載の発明によれば、隣接する画素の閾値電圧が小さい方の粒子が一方の基板に移動終了する前に、閾値電圧が大きい方の粒子の階調に応じた印加時間の電圧を印加する場合と比較して、混色を抑制可能な画像表示装置を提供することができる、という効果がある。
【００１５】
請求項２に記載の発明によれば、閾値電圧が小さい方の粒子が基板から剥離する大きさの電圧を前もって印加しない場合と比較して、より混色を抑制できる、という効果がある。
【００１６】
請求項３に記載の発明によれば、閾値電圧が大きい方の粒子が移動開始するまでに、閾値電圧が小さい方の粒子の移動が終了する大きさ又は時間の電圧をリセット時に印加しない場合と比較して、閾値電圧の小さい方の粒子が移動終了するまでの時間を短くすることができる、という効果がある。
【００１７】
請求項４に記載の発明によれば、第１ステップと第２ステップとを有する駆動パルスを用いない場合と比較して、電圧印加後の浮遊粒子を減少して安定した画像を表示することができる、という効果がある。
【００１８】
請求項５に記載の発明によれば、各画素に第２ステップの電圧の印加タイミングが異なる場合と比較して、安価な装置にすることができる、という効果がある。
【００１９】
請求項６に記載の発明によれば、閾値電圧が小さい方の粒子が基板から剥離して移動終了するまでの時間より、閾値電圧が大きい方の粒子が基板から剥離するまでの時間の方が長い特性を有する粒子を採用しない場合と比較して、混色を抑制することができる、という効果がある。
【００２０】
請求項７に記載の発明によれば、隣接する画素の閾値電圧が小さい方の粒子が一方の基板に移動終了する前に、閾値電圧が大きい方の粒子の階調に応じた印加時間の電圧を印加する場合と比較して、混色を抑制可能な画像表示制御装置を提供することができる、とい
う効果がある。
【００２１】
請求項８に記載の発明によれば、隣接する画素の閾値電圧が小さい方の粒子が一方の基板に移動終了する前に、閾値電圧が大きい方の粒子の階調に応じた印加時間の電圧を印加する場合と比較して、混色を抑制可能な画像表示プログラムを提供することができる、という効果がある。
【図面の簡単な説明】
【００２２】
【図１】（Ａ）は本実施の形態に係わる画像表示装置の概略を示す概略図であり、（Ｂ）は本実施の形態に係る画像表示装置の制御部の構成を示すブロック図である。
【図２】混色が発生する例を説明するための図である。
【図３】本実施の形態に係る画像表示装置の制御部による電圧印加部の制御例を説明するための図である。
【図４】閾値電圧の小さい方の第１泳動粒子を先に移動させるパルス電圧を前もって印加する例を説明するための図である。
【図５】リセット時の電圧の大きさや印加時間により泳動粒子の剥離開始時間を制御する例を説明するための図である。
【図６】２つのステップで電圧を印加する駆動パルスの一例を説明するための図である。
【図７】各画素において同じタイミングで同じ大きさの電圧を印加するように電圧の印加タイミングを揃えた駆動パルスの一例を説明するための図である。
【発明を実施するための形態】
【００２３】
以下、本実施形態について図面を参照しつつ説明する。作用や機能が同じ働きを担う部材には、全図面を通して同じ符合を付与し、重複する説明を省略する場合がある。また、説明を簡易化するために、適宜１つのセルに注目した図を用いて本実施形態を説明する。
【００２４】
図１（Ａ）は、本実施形態に係わる画像表示装置を概略的に示している。この画像表示装置５０は、画像表示媒体１０と、画像表示媒体１０を駆動する駆動装置２０と、を備えている。駆動装置２０は、画像表示媒体１０の表示側電極３、背面側電極４間に電圧を印加する電圧印加部３０と、画像表示媒体１０に表示させる画像の画像情報に応じて電圧印加部３０を制御する制御部４０と、を含んで構成されている。
【００２５】
画像表示媒体１０は、画像表示面とされる、透光性を有する表示基板１と、非表示面とされる背面基板２と、が間隙を持って対向して配置される一対の基板を有する。
【００２６】
これらの基板１、２間を予め定められた間隔に保持すると共に、該基板間を複数のセルに区画する間隙部材５が設けられている。
【００２７】
上記セルとは、背面側電極４が設けられた背面基板２と、表示側電極３が設けられた表示基板１と、間隙部材５と、によって囲まれた領域を示している。なお、１つのセルは複数の画素を含む。また、本実施の形態では、間隙部材５を有する例を説明するが、基板間の間隙を保持できる構成であれば間隙部材５を省略した構成としてもよい。
【００２８】
セル中には、例えば絶縁性液体で構成された分散媒６と、分散媒６中に分散された第１泳動粒子１１と、第２泳動粒子１２とがそれぞれ粒子群として封入されている。第１泳動粒子１１と第２泳動粒子１２は、それぞれ異なる色に着色されると共に、異なる帯電特性を有しており、一対の電極３、４間に印加する電圧を制御することにより、泳動粒子１１、１２が基板間を泳動する。また、泳動粒子１１、１２は、基板から離脱を始める閾値電圧をそれぞれ有し、基板間に閾値電圧が印加された場合に、極性に応じて基板から剥離し
て泳動する。
【００２９】
第１泳動粒子１１と第２泳動粒子１２は、互いに異なる色に着色されており、また、基板に付着した状態を維持するための付着力が互いに異なり、基板間の電界によって基板に付着した状態から基板を離脱するために必要な電圧が互いに異なる。すなわち、一対の電極３、４間に印加する電圧を制御することにより、第１泳動粒子１１及び第２泳動粒子１２がそれぞれ単独で泳動する特性を有している。より具体的には、電圧を印加して発生させた電界によって、粒子が基板を離脱する向きの力が付着力の大きさ以上になると粒子が基板を離脱して他方の基板に向かう。この、電界によって発生する力が付着力と釣り合って粒子が移動し始める電圧を閾値電圧という。本実施形態において、第１泳動粒子１１と第２泳動粒子１２を移動させ、画像を表示させた後に電圧の印加を停止した後も、ファンデルワールス力や鏡像力、静電引力等によって粒子は基板に付着したままとなり、画像表示は維持される。粒子の付着力を制御するには、これらの鏡像力や静電引力、ファンデルワールス力等を調整すればよく、その手段としては、例えば粒子の帯電量、粒径、電荷密度、誘電率、表面形状、表面エネルギー、分散剤の組成や密度等をそれぞれ適切に調整することが挙げられる。なお、第１泳動粒子１１及び第２泳動粒子１２の他に白色に着色された白色粒子を粒子群として含むようにしてもよい。この場合、白色粒子は、第１泳動粒子１１、第２泳動粒子１２よりも帯電量が少なく、第１泳動粒子１１、第２泳動粒子１２が何れか一方の電極側まで移動する電圧が電極間に印加されても、何れの電極側まで移動しない浮遊粒子としてもよい。或いは、分散媒に着色剤を混合することで、泳動粒子の色とは異なる白色を表示させる構成としてもよい。
【００３０】
駆動装置２０（電圧印加部３０及び制御部４０）は、画像表示媒体１０の表示側電極３、背面側電極４間に印加する電圧を表示させる色に応じて制御することにより、第１泳動粒子１１及び第２泳動粒子１２を泳動させ、それぞれの帯電極性に応じて表示基板１、背面基板２の何れか一方に引き付ける。
【００３１】
電圧印加部３０は、表示側電極３及び背面側電極４にそれぞれ電気的に接続されている。また、電圧印加部３０は、制御部４０に信号授受されるように接続されている。
【００３２】
図１（Ｂ）は、本実施の形態に係る画像表示装置５０の制御部４０の構成を示すブロック図である。
【００３３】
制御部４０は、図１（Ｂ）に示すように、例えばコンピュータ４０として構成される。コンピュータ４０は、ＣＰＵ（Central Processing Unit）４０Ａ、ＲＯＭ（Read Only Memory）４０Ｂ、ＲＡＭ（Random Access Memory）４０Ｃ、不揮発性メモリ４０Ｄ、及び入出力インターフェース（Ｉ／Ｏ）４０Ｅがバス４０Ｆを介して各々接続されている。Ｉ／Ｏ４０Ｅには電圧印加部３０が接続されている。この場合、各色の表示に必要な電圧の印加を電圧印加部３０に指示する処理をコンピュータ４０に実行させるプログラムを、例えば不揮発性メモリ４０Ｄに書き込んでおき、これをＣＰＵ４０Ａが読み込んで実行させる。なお、プログラムは、ＣＤ−ＲＯＭ等の記録媒体により提供するようにしてもよい。
【００３４】
電圧印加部３０は、表示側電極３及び背面側電極４に電圧を印加するための電圧印加装置であり、制御部４０の制御に応じた電圧を表示側電極３及び背面側電極４に印加する。電圧印加部３０は、アクティブマトリクス方式を適用してもよいし、パッシブマトリクス方式を適用するようにしてもよい。或いは、セグメント方式を適用するようにしてもよい。
【００３５】
ところで、上述のように構成された画像表示装置５０では、粒子が基板から剥離を始める閾値電圧以上の電圧を印加し、その電圧の印加時間で２種類の粒子の移動を制御して階
調表示することが可能である。以下、帯電極性が同じ２種類の粒子で説明をするが、帯電極性が異なっても効果に変わりは無い。閾値電圧の異なる２種類の粒子は、まず閾値の大きい粒子に対応した階調信号により、閾値電圧の大きい粒子の階調を画素ごとに決めて移動させる。その後、閾値電圧の小さい粒子に対応した階調信号により、閾値電圧の小さい粒子の階調を画素ごとに決めて移動させる。この際に、閾値電圧の大きい粒子の階調を決める電圧印加により、閾値電圧の小さい粒子は付着力が小さいため、閾値電圧の大きい粒子より先に一方の基板から移動開始し、他方の基板へ到達する。閾値電圧の大きい粒子も他方の基板へ移動開始するが、階調により移動する粒子量を電圧の印加時間の長さで調整する。移動する粒子量の多い場合は長い時間電圧を印加し、移動する粒子量が少ない場合は短い時間電圧を印加する。なお、閾値電圧の大きい粒子を移動させず、閾値電圧の小さい粒子のみを移動させる場合は、閾値電圧の小さい粒子を先に全て移動させ（ここで、全て移動とは、階調の変化が視認できない程度に移動、或いは混色が視認できない程度に移動を含む）、閾値電圧の大きい粒子が移動開始する前に電圧印加を終了し、その後に閾値電圧の小さい粒子の階調に応じた電圧のみを印加して閾値電圧の小さい粒子を移動させる。また、閾値電圧の大きい粒子も、閾値電圧の小さい粒子も共に移動させない場合は、電圧を印加しない。
【００３６】
しかしながら、隣接する画素において閾値電圧が小さい方の泳動粒子が一方の基板に移動が終了する前に、閾値電圧が大きい方の泳動粒子の階調に応じた印加時間の電圧を印加すると、混色（所謂クロストーク）が発生する。
【００３７】
例えば、第１泳動粒子１１の方が、第２泳動粒子１２より小さい閾値電圧で移動する場合、第１泳動粒子１１が一方の基板から剥離して他方の基板に移動終了するまでに時間を要する。ここで、第１泳動粒子１１の移動が終了する前に隣接画素において第２泳動粒子１２を移動させる電圧が印加されることにより、移動終了する前の第１泳動粒子１１が隣接画素に印加された電圧の影響を受けることにより混色が発生する。
【００３８】
さらに具体的には、第１泳動粒子１１の閾値電圧を｜Ｖｔ１｜とし第２泳動粒子１２の閾値電圧を｜Ｖｔ２｜（｜Ｖｔ１｜＜｜Ｖｔ２｜）とし、｜Ｖｔ２｜より大きな電圧｜Ｖ２｜を印加した場合に図２（Ａ）のような特性を有するものとする。図２（Ａ）の反射率は表示基板側から測定した値を示し、表示基板側に配置される粒子が多いと小さい値となり、表示基板側に配置される粒子量が少ないと大きい値となる。反射率を測定することで、粒子の移動量を測定することが可能となる。図２（Ａ）の実線は電圧−Ｖ２を印加したときの第１泳動粒子１１の剥離開始を示し、点線は第１泳動粒子１１の移動終了を示す。点線は、粒子の速度と基板間の距離から背面基板側の配置された粒子量を計算して表しているが、背面側の基板を透明として反射率を測定した値とも一致する。また、図２（Ａ）の一点鎖線は第２泳動粒子１２の剥離開始を示す。図２（Ａ）の例では、第１泳動粒子１１及び第２泳動粒子１２は共に正極の帯電特性を有し、表示側電極３を共通電極としてグランドとし、背面側電極４を電極Ａ〜Ｃとして電圧を印加するものとする。
【００３９】
ここで、例えば、各々隣接する電極Ａ〜Ｃへ印加する電圧を図２（Ｂ）に示すように印加するものとする。なお、リセットを予め行って表示基板１側に第１泳動粒子１１及び第２泳動粒子１２を移動させておく。この場合、各々の画素では、はじめに−Ｖ２の電圧が印加されることにより、図２（Ｃ）の状態から図２（Ｄ）に示すように、第１泳動粒子１１が表示基板１側から背面基板２側へ移動を開始する。そして、図２（Ｂ）の時間ｔ１では、図２（Ｅ）に示すように、第１泳動粒子１１が基板から剥離して移動している途中となる、その後、電極Ａ、Ｃの電圧の印加を終了すると、図２（Ｂ）の時間ｔ２で、図２（Ｆ）に示すように、第１泳動粒子１１の背面基板２側への移動が終了となる。しかしながら、第１泳動粒子１１の移動終了の前に第２泳動粒子１２も移動を開始してしまう。さらには、電極Ｂでは、階調に応じた第２泳動粒子１２を移動させるための電圧が印加され続
ける。これにより電極Ｂの背面基板２側に第２泳動粒子１２を移動させる際に、電極Ａ、Ｃの表示基板１側から剥離した第２泳動粒子１２が図２（Ｆ）の矢印で示すように移動してしまい混色が発生した状態で、図２（Ｇ）に示すように、第２泳動粒子１２の移動を終了する。
【００４０】
そこで、本実施の形態では、制御部４０が電圧印加部３０を制御することにより、隣接する画素の閾値電圧の小さい方の第１泳動粒子１１が一方の基板に移動終了後に、閾値電圧が大きい方の第２泳動粒子１２の階調に応じた印加時間の電圧を印加するようになっている。
【００４１】
例えば、大きい方の閾値電圧を基板間に印加したときに、閾値電圧が小さい方の第１泳動粒子１１が基板から剥離して移動終了するまでの時間より、閾値電圧が大きい方の第２泳動粒子１２が基板から剥離するまでの時間の方が長い特性を有する粒子を採用することで、第１泳動粒子１１が一方の基板から剥離して移動終了した後に、第２泳動粒子１２の剥離が開始可能な粒子を選択する。これにより、隣接する画素の閾値電圧の小さい方の第１泳動粒子１１が一方の基板に移動終了後に、閾値電圧が大きい方の第２泳動粒子１２の階調に応じた印加時間の電圧を印加することが可能となる。
【００４２】
ここで、本発明の実施の形態に係る画像表示装置５０の制御部４０による電圧印加部３０の具体的な制御例について説明する。図３は、本実施の形態に係る画像表示装置５０の制御部４０による電圧印加部３０の制御例を説明するための図である。
【００４３】
第１泳動粒子１１及び第２泳動粒子１２は、図３（Ａ）に示すような特性の粒子が選択されている。第１泳動粒子１１の閾値電圧を｜Ｖ１｜とし第２泳動粒子１２の閾値電圧を｜Ｖ２｜とする。なお、図２と同様に、図３（Ａ）の実線は電圧−Ｖ２を印加したときの第１泳動粒子１１は剥離開始を示し、点線は第１泳動粒子１１の移動終了を示す。また、図３（Ａ）の一点鎖線は第２泳動粒子１２の剥離開始を示す。図３（Ａ）の例では、第１泳動粒子１１及び第２泳動粒子１２は共に正極の帯電特性を有し、表示側電極３を共通電極としてグランドとし、背面側電極４を電極Ａ〜Ｂとして電圧を印加するものとする。２種類の粒子は、共に負極の帯電特性であっても、互いに帯電極性が異なっても同様の効果を有する。
【００４４】
本実施の形態では、図３（Ａ）に示すように、第１泳動粒子１１と第２泳動粒子の閾値電圧の差が十分に大きいものが選択されている。なお、閾値電圧の差が十分に大きいとは、第２泳動粒子１２の閾値電圧に相当する電圧−Ｖ２を印加したときに、第１泳動粒子１１が基板を剥離してから移動終了するまでの時間より、第２泳動粒子１２が基板から剥離開始するまでの時間が長くなっていることを示す。
【００４５】
ここで、制御部４０が電圧印加部３０を制御して、各々隣接する電極Ａ〜Ｃへ印加する電圧を図３（Ｂ）に示すように印加するものとする。なお、リセットを予め行って表示基板１側に第１泳動粒子１１及び第２泳動粒子１２を移動させておく。この場合、各々の画素では、はじめに−Ｖ２の電圧が印加されることにより、図３（Ｃ）の状態から第１泳動粒子１１が移動を開始して表示基板１側から背面基板２側へ移動する。そして、第１泳動粒子１１の移動が終了する。続いて、電極Ｂでは、第２泳動粒子１２の階調に応じた電圧印加が継続されて、図３（Ｅ）に示すように、第２泳動粒子１２の表示基板１側から背面基板２側への移動を開始する。そして、図３（Ｂ）の時間ｔｘでは、図３（Ｆ）に示すように、電極Ａ、Ｃへの電圧印加を終了し、電極Ｂでは、第２泳動粒子１２の階調に応じた電圧印加が継続されて、第２泳動粒子１２が背面基板２側へ移動して、階調に応じた電圧印加時間を経過したところで電極Ｂの電圧印加を終了する。本実施の形態では、第１泳動粒子１１の移動が終了してから、第２泳動粒子１２の階調に応じた電圧の印加が行われの
で、混色が発生することなく、図３（Ｇ）に示すように、第２泳動粒子１２の階調に応じた移動を終了する。
【００４６】
上記の実施の形態では、第２泳動粒子１２の閾値電圧を印加したときに、第１泳動粒子１１が一方の基板から剥離して移動終了後に、第２泳動粒子１２の剥離を開始可能にする構成例として、大きい方の閾値電圧を基板間に印加したときに、閾値電圧が小さい方の第１泳動粒子１１が基板から剥離して移動終了するまでの時間より、閾値電圧が大きい方の第２泳動粒子１２が基板から剥離するまでの時間の方が長い特性を有する粒子を選択した例を説明したが、これに限るものではない。
【００４７】
例えば、制御部４０が電圧印加部３０を制御して、閾値電圧の小さい方の第１泳動粒子１１を先に移動させるパルス電圧を前もって印加するようにしてもよい。或いは、リセット時の電圧の大きさや印加時間により泳動粒子の剥離開始時間を制御するようにしてもよい。或いは、これらのうち少なくとも一方と、粒子の選択とを組み合わせるようにしてもよい。
【００４８】
閾値電圧の小さい方の第１泳動粒子１１を先に移動させるパルス電圧を前もって印加する例を図４に示す。
【００４９】
図４（Ａ）に示すように、第１泳動粒子１１の閾値電圧に相当する電圧−Ｖ１を各画素に前もって印加する。すなわち、第１泳動粒子のみが基板から剥離し、第２泳動粒子１２が基板から剥離しない電圧を前もって印加する。
【００５０】
これにより、図４（Ｂ）に、電圧−Ｖ１を印加開始してから第１泳動粒子１１が基板から剥離して終了するまでの時間より、電圧−Ｖ１を印加開始してから第２泳動粒子１２が基板から剥離開始するまでの時間の方が長くなる。
【００５１】
すなわち、リセットを予め行って表示基板１側に第１泳動粒子１１及び第２泳動粒子１２を表示基板１側に移動させた状態（図４（Ｃ）の状態）で、各画素に対して図４（Ａ）のように基板間に電圧を印加すると、各画素では、基板間に印加された電圧−Ｖ１によって第１泳動粒子１１がのみが背面基板２側に移動して図４（Ｄ）に示す状態となる。続いて、各画素に対して電圧−Ｖ２が基板間に印加され、第１泳動粒子１１の背面基板２側への移動が終了する。このとき、図４（Ｅ）に示すように第２泳動粒子１２が表示基板１から背面基板２側へ移動を開始する。続いて、図４（Ａ）の時間ｔｘで電極Ａ、Ｃの電圧の印加を停止して電極Ｂの電圧を印加を階調に応じて継続する。電極Ｂでは、階調に応じて電圧−Ｖ２の印加が継続され、図４（Ｆ）に示すように、第２泳動粒子１２が背面基板２側に移動して、階調に応じた時間が経過したところで、電圧の印加を停止して図４（Ｇ）に示す状態となる。
【００５２】
このように、閾値電圧の小さい方の第１粒子１１を先に移動させるパルス電圧を前もって印加するようにしても、第１泳動粒子１１が一方の基板から剥離して移動終了後に、第２泳動粒子１２の剥離を開始するようになるので、混色が抑制される。
【００５３】
一方、リセット時の電圧の大きさや印加時間により泳動粒子の剥離開始時間を制御する場合について説明する。例えば、第２泳動粒子１２の閾値電圧を基板間に印加したときに、閾値電圧が大きい方の第２泳動粒子１２が基板から剥離開始するまでに、閾値電圧が小さい方の第１泳動粒子１１の移動が終了する大きさ又は時間の電圧をリセット時に印加する。リセット時の電圧印加時間ＴＲ（図５（Ａ）参照）が長い、或いはリセット時の電圧ＶＲ（図５（Ａ）参照）が大きいほど、リセットにより移動した粒子が基板面近傍に近く整列して配置される。そのため、粒子と基板間とに働く静電的付着力が揃い、静電的付着
力の分布が小さくなる。
【００５４】
よって、リセット電圧を印加した後、粒子を反対側の基板方向へ移動のための電圧を基板間に印加した場合の基板から粒子が剥離を開始する時間は、リセット時間が長いほど、或いはリセット電圧が大きいほど大きくなる。その結果、図５（Ｂ）に示すように、先に移動する閾値電圧の小さい第１泳動粒子１１の剥離時間の分布も小さくなり、剥離開始から移動終了までの時間が小さくなり、次に移動する閾値電圧の大きい第２泳動粒子１２が移動開始するまでに、閾値電圧の小さい第１泳動粒子１１のほとんどが反対側の基板へ到達し、閾値電圧の大きい第２泳動粒子１２の階調駆動により隣接電極間に電位差が生じても、混色により不慮の粒子移動の発生を抑えられる。粒子を片側の基板に揃えるリセット電圧印加後に、それぞれの粒子を階調に応じて移動させる電圧を印加するが、それぞれの電圧印加前に０Ｖ電位を印加する時間を有していてもよい。この場合は、電極間の電圧極性切り換えに伴い、電源の電流が一度に流れないため、省電力となる効果を有する。
【００５５】
なお、上記実施の形態に係る画像表示装置５０の電圧印加部３０が電極間に印加する電圧は、上記で示した駆動パルス以外のものを適用するようにしてもよい。例えば、図６（Ａ）に示すように、２つのステップで電圧を印加する駆動パルスを適用するようにしてもよい。該駆動パルスは、泳動粒子を基板から剥離させる大きさかつ階調に応じた印加時間の電圧−Ｖ２を印加する第１ステップと、第１ステップで印加する電圧より小さく、剥離した泳動粒子を基板へ付着させる大きさの電圧−Ｖ１を印加する第２ステップとを組み合わせた駆動パルスとされている。
【００５６】
例えば、図６（Ａ）のように、各電極Ａ〜Ｃに２つのステップからなる駆動パルスを印加した場合、図６（Ｂ）〜（Ｅ）に示すように粒子が移動する。すなわち、リセットを予め行って表示基板１側に第１泳動粒子１１及び第２泳動粒子１２を移動させた状態（図６（Ｂ）の状態）で、各画素に対して図６（Ａ）のように基板間に第１ステップの電圧を印加すると、各画素では、基板間に印加された電圧−Ｖ２によって第１泳動粒子１１が移動を開始して反対側の基板へ移動する。そして、図６（Ａ）の時間ｔｘでは、第１泳動粒子１１の移動が終了して図６（Ｃ）に示す状態となる。続いて、電極Ａ、Ｃの電圧の印加を停止して、電極Ｂの電圧の印加を階調に応じて継続する。これにより、図６（Ｄ）に示すように、電極Ｂに第２泳動粒子１２が移動する。そして、各画素の電極Ａ〜Ｃに第２ステップの電圧を印加することで、電極Ａ、Ｃの電圧の印加を停止前に剥離し浮遊している第２泳動粒子１２が背面基板２側へ付着して図６（Ｅ）に示すように安定した状態となる。
【００５７】
ところで、図６（Ａ）に示すように、２つのステップからなる駆動パルスを印加する場合には、例えば、図６（Ａ）の時間ｔｘ以降において、電極Ａ、Ｃと、電極Ｂとで異なる電圧を印加する必要がある。同じタイミングで画素毎に異なる電圧を印加するためには複雑な制御、或いは高価な電源回路等が必要となる。
【００５８】
そこで、各画素において同じタイミングで同じ大きさの電圧を印加するように電圧の印加タイミングを揃えるようにしてもよい。
【００５９】
例えば、図７（Ａ）に示すように、階調の異なる電極間で閾値電圧の大きい方の粒子を基板から剥離させる閾値電圧以上の電圧（第１ステップの電圧）の印加時間が、階調値の異なる画素間で異なる場合、パルス終了後は一旦０電位とする。図７（Ａ）の例では、電極Ａ、Ｃの電位を一旦０とする。そして、剥離した粒子を移動させる閾値電圧以下の電圧（第２ステップの電圧）は全ての画素の第１ステップの電圧の印加が終了した後に印加する。すなわち、第１ステップの電圧を印加して階調に応じた印加時間が経過したところで一旦電圧の印加を停止して、第２ステップの電圧の印加タイミングを各画素で揃える。これによって、各画素で同じタイミングで同じ大きさの電圧（又は０電位）が印加される。
【００６０】
或いは、図７（Ｂ）に示すように、第１ステップの電圧の印加を終了するタイミングを揃えるようにしてもよい。この場合には、図７（Ｂ）のように、第１ステップの電圧印加の終了タイミングを揃えることにより、画素間で不要な粒子の移動が抑制されて混色が抑制される。
【００６１】
なお、上記の実施の形態では、基板間に２種類の泳動粒子を封入した例を説明したが、これに限るものではない。例えば、３種類以上の複数種類の泳動粒子を封入する場合に適用するようにしてもよい。この場合には、それぞれの閾値電圧を切替える際に、隣接する画素の閾値電圧が小さい方の泳動粒子が一方の基板に移動終了後に、閾値電圧が大きい方の泳動粒子の階調に応じた印加時間の電圧を印加するように制御部４０が電圧印加部３０を制御すればよい。また、帯電極性が異なる２種類、あるいは３種類の泳動粒子を封入してもよく、帯電極性の異なる粒子は、電界を印加した時の泳動方向が互いに異なるが、閾値電圧の小さい方の泳動粒子が反対側の基板に移動終了後に、閾値電圧が大きい粒子が先に泳動した閾値電圧の小さい粒子とは逆の方向に移動するように制御すればよい。
【００６２】
また、上記の実施形態における制御部４０による電圧印加部３０の制御は、ハードウエアによって実現するようにしてもよいし、ソフトウエアのプログラムを実行することによって実現するようにしてもよい。また、当該プログラムは、各種記憶媒体に記憶して流通するようにしてもよい。
【符号の説明】
【００６３】
１    表示基板
２    背面基板
３    表示側電極
４    背面側電極
１０    画像表示装置
１１    第１泳動粒子
１２    第２泳動粒子
２０    駆動装置
３０    電圧印加部
４０    制御部
５０    画像表示装置
【図１】
2015166781.tif 000003
【図２】
2015166781.tif 000004
【図３】
2015166781.tif 000005
【図４】
2015166781.tif 000006
【図５】
2015166781.tif 000007
【図６】
2015166781.tif 000008
【図７】
2015166781.tif 000009